(57)【特許請求の範囲】
【請求項１】
軸筒内に、筆記体を弾発部材によって後方に弾発して配設し、軸筒後端部内に設けたカム溝に沿って摺動可能な押し棒と回転カムを配設し、前記軸筒の後端部に、長手方向に伸びた摺動溝を設け、クリップの脚部を前記摺動溝に摺動自在に配設し、前記摺動溝に沿って、前記クリップをスライドすることにより、押し棒及び回転カムを摺動させ、前記回転カムの回転に伴い前記筆記体の筆記先端部を軸筒の先端開口部より出没する出没機構を有した出没式筆記具において、前記軸筒内に、クリップの前後動に連動する摺動部材を配設し、前記クリップを前方にスライドすることによって、前記摺動部材を介して押し棒を前方に摺動させるとともに、前記回転カムと摺動部材とを、前記回転カムが摺動部材に対し回転及び前後動可能、且つ前記摺動部材が前記回転カムの前方及び後方への移動を規制して係合するとともに、前記押し棒と摺動部材とが、前記押し棒が摺動部材に対し回転可能、且つ前記摺動部材が前記押し棒の前方及び後方への移動を規制して係合させ、前記クリップの脚部が、前記摺動部材に回動自在に係合してあり、前記摺動部材に、軸筒後端側に突出させ、且つ前記軸筒の軸心と偏心した位置に設けた棒状突起にコイルスプリングを挿入してなり、前記コイルスプリングをクリップの脚部と摺動部材間に取り付け、前記クリップの先端部を軸筒の外表面に弾発してなり、クリップの後端部を下方に押圧すると、摺動部材とクリップの脚部との連結部を支点にしてクリップの先端部が上方に開き、前記コイルスプリングの弾発力が、前記弾発部材の弾発力よりも小さいことを特徴とする出没式筆記具。
【請求項２】
前記摺動溝が、周方向の異なる位置に複数本、形成してあり、前記クリップの脚部が、前記摺動溝に対応して複数本、形成してあることを特徴とする請求項１に記載の出没式筆記具。
【発明の詳細な説明】
【技術分野】
【０００１】
本発明は、カム溝と、回転カムと、押し棒とノック体からなる、筆記体の筆記先端部を軸筒の先端開口部より出没する出没機構を有した出没式筆記具に関する。
【背景技術】
【０００２】
従来、ノック体、押し棒、回転カム及びカム溝で構成された出没機構を有した出没式筆記具においては、軸筒の先端開口部から軸筒内に収容した筆記体の筆記先端部を突出させた状態で、ノック体のがたつきを防止するために、実公平７−２２３５号公報「ノック式筆記具」に開示のように、回転カムとノック体との間にコイルスプリングを配設してノック体を後方に付勢していた。
【０００３】
しかし、こうした構造にあっては、コイルスプリングを配設するための工程が必要となるため、組立性及び製造コストが高騰する問題があった。こうした問題に鑑みて、本願出願人は、特開２００３−３０５９９０号公報「ノック式筆記具」にて、コイルスプリングを配設することなく、軸筒の先端開口部から軸筒内に収容したレフイールの筆記先端部を突出させた状態で、ノック体の状態（長さ）から筆記体の筆記先端が軸筒の先端開口部から露出しているのかどうか判断でき、かつノック体のがたつきを極力抑えたノック式筆記具を開示している。
【０００４】
ところで、回転カムによる出没機構にあっては、特開２００７−２５３４８７号公報「印鑑付き筆記具」等、クリップをスライドすることで、筆記体の筆記先端部を出没可能としたノック式筆記具を開示している。こうしたクリップスライド式の出没式筆記具においては、軸筒に摺動溝を形成し、この摺動溝にクリップの脚部が位置するようにする必要がある。
【先行技術文献】
【特許文献】
【０００５】
【特許文献１】特開２００８−３０４１０号公報
【特許文献２】特開２００３−３０５９９０号公報
【特許文献３】特開２００７−２５３４８７号公報
【発明の概要】
【発明が解決しようとする課題】
【０００６】
しかし、特許文献２は、ノック体と押し棒（固定カム）を固着しているため、押し棒をカム溝に係合すること、クリップを配設することを一度に行わねばならず、組み立て作業が困難である問題があった。
【０００７】
本発明はこれらの従来技術に鑑みてなされたものであって、組立性が良好で、且つ筆記部の突出時にクリップのガタツキが発生し難い出没式筆記具を簡単な構造で提供することにある。
【課題を解決するための手段】
【０００８】
本発明は、前記問題を解決するために、軸筒内に、筆記体を弾発部材によって後方に弾発して配設し、軸筒後端部内に設けたカム溝に沿って摺動可能な押し棒と回転カムを配設し、前記軸筒の後端部に、長手方向に伸びた摺動溝を設け、クリップの脚部を前記摺動溝に摺動自在に配設し、前記摺動溝に沿って、前記クリップをスライドすることにより、押し棒及び回転カムを摺動させ、前記回転カムの回転に伴い前記筆記体の筆記先端部を軸筒の先端開口部より出没する出没機構を有した出没式筆記具において、前記軸筒内に、クリップの前後動に連動する摺動部材を配設し、前記クリップを前方にスライドすることによって、前記摺動部材を介して押し棒を前方に摺動させるとともに、前記回転カムと摺動部材とを、前記回転カムが摺動部材に対し回転及び前後動可能、且つ前記摺動部材が前記回転カムの前方及び後方への移動を規制して係合するとともに、前記押し棒と摺動部材とが、前記押し棒が摺動部材に対し回転可能、且つ前記摺動部材が前記押し棒の前方及び後方への移動を規制して係合してなることを特徴とする。
【０００９】
また、前記摺動溝が、周方向の異なる位置に複数本、形成してあり、前記クリップの脚部が、前記摺動溝に対応して複数本、形成してあることを特徴とする。
【００１０】
更にまた、前記クリップの脚部が、前記摺動部材に回動自在に係合してあり、前記摺動部材に、軸筒後端側に突出し、且つ前記軸筒の軸心と偏心した位置に設けた棒状突起にコイルスプリングを挿入し、前記コイルスプリングをクリップの脚部と摺動部材間に取り付け、前記クリップの先端部を軸筒の外表面に弾発し、クリップの後端部を下方に押圧すると、摺動部材とクリップの脚部との連結部を支点にしてクリップの先端部が上方に開くとともに、前記コイルスプリングの弾発力が、前記弾発部材の弾発力よりも小さいことを特徴とする。
【００１１】
本願発明の第１の構成によれば、出没式筆記具において、前記軸筒内に、クリップの前後動に連動する摺動部材を配設し、前記クリップを前方にスライドすることによって、前記摺動部材を介して押し棒を前方に摺動させるとともに、前記回転カムと摺動部材とを、前記回転カムが摺動部材に対し回転及び前後動可能、且つ前記摺動部材が前記回転カムの前方及び後方への移動を規制して係合するとともに、前記押し棒と摺動部材とが、前記押し棒が摺動部材に対し回転可能、且つ前記摺動部材が前記押し棒の前方及び後方への移動を規制して係合してあるため、筆記先端部の突出時に、クリップが元の位置に復帰しないように規制してあるので、クリップのガタツキが発生し難い効果を奏することができる。
【００１２】
また、前記回転カム、押し棒、摺動部材とが、個々に回転自在に自在であるため、回転カム及び押し棒をカム溝に、押し棒を摺動溝に配置し易く、組立性を著しく向上することができる。
【００１３】
本願発明の第２の構成によれば、前記摺動溝が、周方向の異なる位置に複数本、形成してあり、前記クリップの脚部が、前記摺動溝に対応して複数本、形成してあるため、連結部と壁部との距離を短くし易く、且つ前記筒体の軸筒の軸心側に連結部を設けることができる。
【００１４】
本願発明の第３の構成によれば、前記クリップの脚部が、前記摺動部材に回動自在に係合するとともに、前記摺動部材に、軸筒後端側に突出し、且つ前記軸筒の軸心と偏心した位置に設けた棒状突起にコイルスプリングを挿入しているため、クリップの後端部を下方に押圧しても、この押圧力が摺動部材を軸筒先端側へ押圧する押力に変換し難く、誤って筆記先端部を突出することを抑制できる。また、コイルスプリングの弾発力が、前記弾発部材の弾発力よりも小さいために、前記した押力への変換を相乗的に抑制することができる。
【００１５】
また、本発明のクリップには、ステンレス鋼、銅合金、アルミニウム等の金属材料やＰＣ樹脂、ＰＰ樹脂、ＡＳ樹脂等の樹脂材料など、筆記具のクリップとして一般的に知られている材料のなかから適宜選定すればよい。
【発明の効果】
【００１６】
本発明は、組立性が良好で、クリップと筒体との連結部が外れにくいクリップを有する筆記具を簡単な構造で提供することができた。
【図面の簡単な説明】
【００１７】
【図１】実施例１の出没式筆記具を示す縦断面図である。
【図２】図１における筆記先端部を突出した状態を示す縦断面図である。
【図３】図１における一部省略した要部拡大断面図である。
【図４】図１におけるＡ−Ａ断面図である。
【図５】図１における摺動部材を示す外観図である。
【図６】図３におけるクリップを省略した上面図である。
【発明を実施するための形態】
【００１８】
次に図面を参照しながら、本発明の出没式筆記具の実施例を説明するが、本発明は以下の実施形態に限定されるものではない。
【００１９】
実施例１
図１から図６に示す実施例１の出没式筆記具１は、前軸２と後軸３を螺着して軸筒本体を構成し、後軸３の内壁面には、軸心方向に沿って延びた深さが深いカム溝（図示せず）と浅いカム溝（図示せず）とを交互に形成したカム溝（図示せず）を形成してある。また、クリップ９を前軸２側にスライドすると、クリップ９と連動して回転カム５、押し棒６、摺動部材７が前軸２側に移動し、回転カム５による出没機構が作動して、筆記体１１の筆記先端１３を、前軸２に螺着した口先部材４の先端開口部４Ａからの突出を維持することができる。また、前軸２には外筒１６を嵌着してある。
【００２０】
具体的には、後軸３の側壁後部に長手方向に伸びた摺動溝３Ａを周方向の異なる位置に、並列して形成する。また、クリップ９は、先端部下側に玉部９Ａを突出させるとともに、後端部下側に脚部９Ｃを並列に形成する。この脚部部９Ｃの両側壁部に互いに対向する連結孔９Ｄが形成される。
【００２１】
この二つのクリップ９の脚部９Ｃを後軸３の後端開口部から摺動溝３Ａに挿入し、摺動部材７の２つの片に形成した円柱形の隆起部７Ｃにクリップ９の脚部９Ｃに形成した連結孔９Ｄを嵌め込んで、隆起部７Ｃを連結孔９Ｄに回動自在に取り付けた連結部Ｒとしてある。更に、摺動部材７の棒状突起７Ｂにコイルスプリング１５を挿入し、このコイルスプリング１５をクリップ９の脚部９Ｃと摺動部材７との間に取付荷重（弾発力）８５０ｇで取り付け、通常クリップ９の脚部９Ｃ下側を後方に付勢することによって摺動部材７の隆起部７Ｃを軸にしてクリップ９の先端部が下方に押され、クリップ９の玉部９Ａが後軸３の表面に押し付けられて閉じられる。
【００２２】
また、摺動溝３Ａは後軸３後端が開口して延びており、この後軸３後端の開口部から、頭冠８に並列して設けた突起８Ａを挿入し、摺動溝３Ａに設けた窓幅を小さくする突部３Ａａを乗り越し嵌合によって装着してある。また、後軸３内の壁面には、後軸３後端が開口して長手方向に延びる凹部３Ｃを設けてあり、頭冠８に設けた凸部（図示せず）を後軸３内の凹部３Ｃに挿通してある。尚、摺動溝３Ａと頭冠８は、略面一状となるように係合してある。
【００２３】
次に、出没機構の動作について詳述すると、筆記体１１は回転カム５内に圧入保持されており、筆記体１１の筆記先端部１３が口先部材４の開口部４Ａ内に没入した状態からクリップ９を前軸２側にスライドすることにより、クリップ９に連動して、摺動部材７が連動し、摺動部材７に連動して押し棒６はカム溝に係合した突起６Ａに導かれて前軸２方向に移動する。また、押し棒６に連接した回転カム５も深いカム溝に係合したカム突起５Ａに導かれて前進する。カム突起５Ａが深いカム溝の先端に達してカム溝から離脱すると、押し棒６の凹凸部の頂部及び後軸３内に固着したバネ受け部材１０によって、コイルスプリングからなる弾発部材１４により後方へ付勢された回転カム５は回転して浅いカム溝に後退する。それに伴い、回転カム５及び筆記体１１はそれ以上後退することができず、筆記体１１の筆記先端部１３は、口先部材４の先端開口部４Ａより突出した状態で維持することができ、再度、クリップ９を前軸２方向に押圧すると、筆記体１１の筆記先端部１３を口先部材４の先端開口部４Ａ内に没入することができる、従来から知られている回転カムによる出没機構である。尚、弾発部材１４の取付荷重（弾発力）は２５０ｇであった。
【００２４】
摺動部材７の先端部には、前方に向かって突出する棒状突起７Ａを設けてあり、この棒状突起７Ａには、外径を大きくした先端側突部７Ａａと、先端側突部７Ａａよりも外径の大きい後端側突部７Ｂｂとを長手方向で離間して設けてある。
【００２５】
また、摺動部材７の棒状突起７Ａの先端側突部７Ａａと後端側突部７Ａｂ間に、回転カム５に設けた環状突起５Ｂを係合し、回転カム５が摺動部材７に対し回転及び前後動可能に係合してあり、さらに、摺動部材７の棒状突起７Ａの先端側突部７Ａａが回転カム５の前方側への移動を規制し、摺動部材７の棒状突起７Ａの後端側突部７Ａｂが回転カム５の後方側への移動を規制してある。また、摺動部材７の棒状突起７Ａの後端側突部７Ａｂ後方と摺動部材７の壁面７Ｄ間に、押し棒６に設けた環状突起６Ｂを係合し、押し棒６が摺動部材７に対し回転可能、摺動部材７の棒状突起７Ａの後端側突部７Ａｂが押し棒６の前方側への移動を規制し、また、摺動部材７の壁面７Ｄが押し棒６の後方への移動を規制してある。
【００２６】
そのため、筆記体１１の筆記先端部１３が口先部材４の先端開口部４Ａから突出した状態では、回転カム５の環状突起５Ｂと摺動部材７の棒状突起７Ａの先端側突部７Ａａによって、摺動部材７の後方への移動を規制するので、クリップ９のガタツキを抑制することができる。
【００２７】
また、筆記体１１の筆記先端部１３が口先部材４の先端開口部４Ａ内に没入した状態では、押し棒６は後軸３内に設けた内方突部３Ｂによって後方への移動を規制され、押し棒６の環状突起６Ｂによって、摺動部材７の後方への移動を規制するので、クリップ９の脚部９Ｃは頭冠８及び後軸３によって後方への移動を規制していないので、クリップ９のガタツキを抑制し、頭冠８の外れを防止することができる。
【００２８】
次にクリップ９の開閉操作を説明すると、クリップ９の先端部の玉部９Ａが閉じた状態からクリップ９の後端部９Ｂを下方に押圧すると、摺動部材７の隆起部７Ｃを軸にしてクリップ９の先端部の玉部９Ａが上方に開くとともにクリップ９の脚部９Ｃ下側でコイルスプリング１５を圧縮した状態となる。また、クリップ９の後端部９Ｂの押圧を止めればコイルスプリング１５に押されてクリップ９の先端部の玉部９Ａが閉じられ元の状態に復帰する。
【００２９】
筆記体１１は、ボールペンレフィルであり、インキ収容筒の先端部に、ボールが回転可能に抱持された筆記先端部１３をチップホルダー１２を介して装着し、インキ収容筒の内部には、黒色の剪断減粘性を有する水性ゲルインキ及びインキ追従体（図示せず）を直に収容してある。
【００３０】
尚、本発明では、回転カムと摺動部材とを、回転カムが摺動部材に対し回転及び前後動可能、且つ前記摺動部材が前記回転カムの前方及び後方への移動量を規制して係合してあるが、係合方法は、特に限定されるものではない。同様に、押し棒と摺動部材とが、押し棒が摺動部材に対し回転可能、且つ摺動部材が押し棒の前方及び後方への移動を規制して係合であれば、係合方法は、特に限定されるものではない。尚、回転カムの前後動の移動規制は、回転カムが出没機構として支障のないように設けることが肝要である。これに対し、押し棒は、前後動しない状態で移動規制してあってもよい。また、図示はしていないが、頭冠に、消しゴムや摩擦部材などの付設部を一体又は着脱自在に設けることができる。
【産業上の利用可能性】
【００３１】
本発明の筆記具の軸筒は、ボールペンに限定されるものではなく、ノック式シャープペンシル等種々の筆記具の軸筒に利用できるものである。
【符号の説明】
【００３２】
１  出没式筆記具
２  前軸
３  後軸
３Ａ  摺動溝
３Ｂ  内側段部
４  口先部材
４Ａ  先端開口部
５  回転カム
５Ａ  カム突起
５Ｂ  環状突起
６  押し棒
６Ａ  突起
６Ｂ  環状突起
７  摺動部材
７Ａ  棒状突起
７Ａａ  前方突起
７Ａｂ  後方突起
７Ｂ  隆起部
７Ｃ  係合部
７Ｄ  壁面
８  頭冠
８Ａ  突起
９  クリップ
９Ａ  玉部
９Ｂ  後端部
９Ｃ  脚部
９Ｄ  連結孔
１１  筆記体
１３  筆記先端部
１４  弾発部材
１５  コイルスプリング
【図１】
0005951220.tif 000002
【図２】
0005951220.tif 000003
【図３】
0005951220.tif 000004
【図４】
0005951220.tif 000005
【図５】
0005951220.tif 000006
【図６】
0005951220.tif 000007